(57)【特許請求の範囲】
【請求項１】
販売時点情報を登録・更新するＰＯＳターミナル本体と、
このＰＯＳターミナル本体に着脱可能に接続されたバッテリーボックスと、
このバッテリーボックスに着脱可能に収納され、前記バッテリーボックスを介して接続された前記ＰＯＳターミナル本体に電力供給する複数個のバッテリーと、
を備え、
前記バッテリーボックスは、
商用電源により電力供給するボックス側商用電源回路と、
このボックス側商用電源回路からの電力供給によって前記バッテリーを充電するバッテリー充電回路と、
前記ＰＯＳターミナル本体側に前記バッテリーの電力を供給する電力供給回路と、
前記バッテリーボックスが前記ＰＯＳターミナル本体に装着された時は、前記電力供給回路を前記バッテリーに接続して前記電力を供給させると共に、前記バッテリーボックスが前記ＰＯＳターミナル本体から離脱された時は、前記バッテリー充電回路を前記バッテリーに接続して充電させる充電・電力供給切替スイッチと、
を有することを特徴とするＰＯＳターミナル。
【請求項２】
前記バッテリーボックスは、前記ＰＯＳターミナル本体に対する着脱を検出する着脱検出センサーを更に備え、
前記充電・電力供給切替スイッチは、前記着脱検出センサーにおける検出信号に基づいて前記バッテリーとの接続回路を自動的に切替えることを特徴とする請求項１記載のＰＯＳターミナル。
【請求項３】
前記バッテリーボックスは、前記格納されている前記複数のバッテリーのバッテリー残量を検出するバッテリー残量検出回路を更に備え、
前記充電・電力供給切替スイッチは、前記バッテリー充電回路に対しては、前記バッテリー残量検出回路で検出された前記バッテリー残量が少ない前記バッテリーから充電を行わせ、前記電力供給回路に対しては、前記バッテリー残量が多い前記バッテリーから前記電力の供給を行わせることを特徴とする請求項１または請求項２記載のＰＯＳターミナル。
【請求項４】
前記ＰＯＳターミナル本体は、
前記バッテリーボックスを載置するベース部材と、
このベース部材のボックス装着面側に形成され、前記バッテリーボックスの前記電力供給回路に接続して電力供給を仲介するコネクタと、
前記ベース部材のボックス装着面側に形成され、前記バッテリーボックスが前記ベース部材に装着された時に前記着脱検出センサーが検出するセンサー検出用部材と、
を備えることを特徴とする請求項３記載のＰＯＳターミナル。
【請求項５】
前記ＰＯＳターミナル本体は、
前記商用電源により電力供給する商用電源回路と、
前記バッテリーボックスを介して前記バッテリーに接続され、前記バッテリーにより電力供給するバッテリー電源回路と、
前記商用電源回路による電力供給の停止を検出した際、電力供給元を前記商用電源回路側から前記バッテリー電源回路側に切り替える電源切替スイッチと、
を備えることを特徴とする請求項１乃至請求項４のいずれか一項記載のＰＯＳターミナル。
【発明の詳細な説明】
【技術分野】
【０００１】
本発明の実施形態は、販売店舗に設置されるＰＯＳターミナルに関する。
【背景技術】
【０００２】
販売店舗において商品名、価格、数量、日時などを含む販売時点情報を登録・更新するＰＯＳ（Point Of Sale）ターミナルでは、通常商用電源より電力供給が行われている。停電が発生した場合やユーザにより主電源がＯＦＦされた場合などに対処する耐障害の目的以外にも、店内や屋外において売場を自由に設置することなどを目的として、電力供給先を主電源（商用電源）から補助電源であるバッテリーに切り替える機能を備え、主電源から電力供給できない状況下でも駆動可能なバッテリー駆動型ＰＯＳターミナルが広く使用されている。
【先行技術文献】
【特許文献】
【０００３】
【特許文献１】特開２００９−１６３６８５号公報
【発明の概要】
【発明が解決しようとする課題】
【０００４】
しかしながら、従来のバッテリー駆動型ＰＯＳターミナルにおいては、ＰＯＳターミナル本体を主電源に接続することでバッテリーの充電を行うか、あるいは、ＰＯＳターミナルの中からバッテリーを取出した上で専用充電器によってバッテリーの充電を行う必要があるため、特にＰＯＳターミナルを主電源から遠い位置などに設置する場合には、バッテリーの充電における作業負担が大きかった。
【課題を解決するための手段】
【０００５】
本発明の一実施形態に係るＰＯＳターミナルは、販売時点情報を登録・更新するＰＯＳターミナル本体と、このＰＯＳターミナル本体に着脱可能に接続されたバッテリーボックスと、このバッテリーボックスに着脱可能に収納され、バッテリーボックスを介して接続されたＰＯＳターミナル本体に電力供給する複数個のバッテリーと、を備える。
【０００６】
バッテリーボックスは、商用電源により電力供給するボックス側商用電源回路と、このボックス側商用電源回路からの電力供給によってバッテリーを充電するバッテリー充電回路と、ＰＯＳターミナル本体側にバッテリーの電力を供給する電力供給回路と、バッテリーボックスがＰＯＳターミナル本体に装着された時は、電力供給回路をバッテリーに接続して電力を供給させると共に、バッテリーボックスがＰＯＳターミナル本体から離脱された時は、バッテリー充電回路をバッテリーに接続してバッテリーを充電させる充電・電力供給切替スイッチと、を有する。
【図面の簡単な説明】
【０００７】
【図１】本発明の一実施形態に係るＰＯＳターミナルの構造を説明する分解図。
【図２】図１に示すベース部材の構造を示す斜視図。
【図３】図１に示すＰＯＳターミナル本体の底面図。
【図４】図１に示すＰＯＳターミナルの全体構成例を示すブロック図。
【図５】図１に示すバッテリーボックスにおける充電・電力供給切替の制御動作の具体例を示すフローチャート。
【図６】図１に示す一実施形態の変形例に係るＰＯＳターミナルの全体構成例を示すブロック図。
【発明を実施するための形態】
【０００８】
以下、本発明の実施形態について図面を用いて詳細に説明する。  
図１は、本発明の一実施形態に係るＰＯＳターミナル１の構造を説明する分解図である。また、図２は、図１に示すベース部材１２の構造を示す斜視図であり、図３は、図１に示すＰＯＳターミナル本体１０の底面図である。
【０００９】
図１に示されるように、ＰＯＳターミナル１は、販売時点情報を登録・更新するＰＯＳターミナル本体１０と、このＰＯＳターミナル本体１０に着脱可能に接続されたバッテリーボックス３０と、このバッテリーボックス３０に着脱可能に収納され、バッテリーボックス３０を介して接続されたＰＯＳターミナル本体１０に電力供給する複数個のバッテリー４０を備えている。
【００１０】
ＰＯＳターミナル本体１０のベース部材１２は、各種の機器が格納される筐体１１及びバッテリーボックス３０を固定して載置する。また、図２に示されるように、コネクタ１２１は、ベース部材１２のボックス装着面側に形成され、バッテリーボックス３０の後述する電力供給回路３０３に接続してＰＯＳターミナル本体１０への電力供給を仲介する。センサー検出部材１２２は、ベース部材１２のボックス装着面側に凸状に形成され、バッテリーボックス３０の凹状のコネクタ（図示省略する）に着脱された際に、後述する着脱検出センサー３０５がバッテリーボックス３０の着脱を検出する部材である。図１および図２に示されるように、コネクタ１２１のボックス接続端子１２１ａは、バッテリーボックス３０に接続される。また、図３に示されるように、コネクタ１２１の本体接続端子１２１ｂは、ＰＯＳターミナル本体１０上部の筐体１１の底面側に設けられているコネクタ１０１ｂの端子に接続される。
【００１１】
図４は、図１に示すＰＯＳターミナル１の全体構成例を示すブロック図である。同図に示されるように、ＰＯＳターミナル本体１０は、電源装置１０１、ＣＰＵ１０２、ＲＯＭ（Read Only Memory）１０３、ＲＡＭ（Random Access Memory）１０４、ハードディスクなどの補助記憶装置１０５、通信装置１０６、販売時点情報を表示する表示装置１０７、ユーザーが販売時点情報や操作指令を入力するキーボードやタッチパネルなどの入力装置１０８、スピーカー１０９及びプリンタやバーコードリーダなどの周辺機器１１０がバス１１１を介して電気的に接続されている。
【００１２】
電源装置１０１は、ＣＰＵ１０２の制御の下、商用電源などの主電源、又はバッテリー４０などの補助電源から供給される電力を切り替えて、ＰＯＳターミナル本体１０の各装置へ電力供給を行う。ここでは、電源装置１０１は、商用電源回路１０１ａ、コネクタ１０１ｂ、バッテリー電源回路１０１ｃ及び電源切替スイッチ１０１ｄを備えている。商用電源回路１０１ａは、接続先の商用電源により電力供給する。バッテリー電源回路１０１ｃは、コネクタ１０１ｂ及びバッテリーボックス３０を介してバッテリー４０に接続され、バッテリー４０により電力供給する。電源切替スイッチ１０１ｄは、商用電源回路１０１ａによる電力供給の停止を検出した際、電力供給元を商用電源回路１０１ａ側からバッテリー電源回路１０１ｃ側に切り替える。
【００１３】
ＣＰＵ１０２は、ＲＯＭ１０３に記憶されたプログラムをＲＡＭ１０４の作業領域に展開して順次実行することで、ＰＯＳターミナル本体１０の動作を中央制御する。ＲＡＭ１０４は、ＣＰＵ１０２がプログラムを実行する際の作業領域を提供する。ＲＯＭ１０３は、プログラムや各種設定情報を記憶する。
【００１４】
例えば、ＣＰＵ１０２は、ＲＯＭ１０３に記憶されたプログラム（ソフトウエア）を順次実行することで、入力装置１０８からの操作入力に応じた販売時点情報の登録・更新処理を行う。同様に、ＣＰＵ１０２は、ＲＯＭ１０３に記憶されたプログラムを順次実行することで、停電が発生した場合やユーザにより主電源がＯＦＦされた場合などの種々の要因によって電源装置１０１における主電源からの電力供給が停止されている場合は、電源装置１０１の電力供給をバッテリー４０などの補助電源からの電力供給に切り替える。ＣＰＵ１０２は、有線または無線での通信を行う通信装置１０６を介してストアーサーバ（図示省略する）に接続し、ＲＡＭ１０４や補助記憶装置１０５に記憶されている販売時点情報をリアルタイムで送信する。
【００１５】
続いて、バッテリーボックス３０の構成について説明する。図４に示されるように、バッテリーボックス３０は、ボックス側商用電源回路３０１、バッテリー充電回路３０２、電力供給回路３０３、充電・電力供給切替スイッチ３０４、着脱検出センサー３０５及びバッテリー残量検出回路３０６を備えている。
【００１６】
ボックス側商用電源回路３０１は、接続先の商用電源により電力供給する。バッテリー充電回路３０２は、ボックス側商用電源回路３０１からの電力供給によってバッテリー４０を充電する。電力供給回路３０３は、ＰＯＳターミナル本体１０側にバッテリー４０内で蓄えられている電力を供給する。充電・電力供給切替スイッチ３０４は、ＰＯＳターミナル本体１０へバッテリーボックス３０が装着された時は、電力供給回路３０３をバッテリー４０に接続してバッテリー４０から電力を供給させると共に、ＰＯＳターミナル本体１０からバッテリーボックス３０が離脱された時は、バッテリー充電回路３０２をバッテリー４０に接続して充電させる。
【００１７】
着脱検出センサー３０５は、ＰＯＳターミナル本体１０に対するバッテリーボックス３０の着脱を検出し、その検出信号を充電・電力供給切替スイッチ３０４へ出力する。バッテリー残量検出回路３０６は、格納されている複数のバッテリー４０のバッテリー残量をそれぞれ検出し、その検出信号を制御信号として充電・電力供給切替スイッチ３０４へ出力する。これに伴い、充電・電力供給切替スイッチ３０４は、バッテリー充電回路３０２に対しては、複数個のバッテリー４０の内、バッテリー残量検出回路３０６で検出されたバッテリー残量が少ないバッテリー４０から充電を行わせ、電力供給回路３０３に対しては、バッテリー残量が多いバッテリー４０から電力供給を行わせる。
【００１８】
図５は、図１に示すバッテリーボックス３０における充電・電力供給切替の制御動作の具体例を示すフローチャートである。尚、これらの処理はバッテリーボックス３０に内蔵される制御チップ（図示省略する）によって制御されるものとする。
【００１９】
Ｓ５０１においては、着脱検出センサー３０５からの検出信号の有無に基づいてＰＯＳターミナル本体１０にバッテリーボックス３０が装着されたか否かを判定する。ここで、ＰＯＳターミナル本体１０に装着されたと判定された場合は、Ｓ５０２へ進む。これに対し、ＰＯＳターミナル本体１０に装着されていないと判定された場合は、Ｓ５０５へ進む。
【００２０】
Ｓ５０２においては、バッテリーボックス３０のバッテリー残量検出回路３０６は、格納されている複数のバッテリー４０のバッテリー残量を検出し、その検出信号を充電・電力供給切替スイッチ３０４へ出力する。
【００２１】
Ｓ５０３においては、バッテリーボックス３０の充電・電力供給切替スイッチ３０４は、検出信号に基づいて複数個のバッテリー４０の内、バッテリー残量が最大のバッテリー４０と電力供給回路３０３を接続し、ＰＯＳターミナル本体１０側への電力供給を行わせる。
【００２２】
Ｓ５０４においては、全てのバッテリー４０の供給可能電力が無くなったか否かを判定する。ここで、供給可能電力が無くなったと判定された場合は処理を終了する。これに対し、供給可能電力が無くなっていないと判定された場合には、Ｓ５０２へ戻り、供給可能電力が無くなるまでＳ５０２〜Ｓ５０４の処理を繰り返す。
【００２３】
Ｓ５０５においては、ボックス側商用電源回路３０１が商用電源に接続されているか否かを判定する。ここで、商用電源に接続されていると判定された場合には、Ｓ５０６へ進む。これに対し、商用電源に接続されていないと判定された場合には、Ｓ５０１へ戻る。
【００２４】
Ｓ５０６においては、バッテリーボックス３０のバッテリー残量検出回路３０６は、格納されている複数のバッテリー４０のバッテリー残量を検出し、その検出信号を充電・電力供給切替スイッチ３０４へ出力する。
【００２５】
Ｓ５０７においては、バッテリーボックス３０の充電・電力供給切替スイッチ３０４は、検出信号に基づいて複数個のバッテリー４０の内、バッテリー残量が最小のバッテリー４０とバッテリー充電回路３０２を接続し、充電を行わせる。
【００２６】
Ｓ５０８においては、全てのバッテリー４０の充電が完了したか否かを判定する。ここで、充電が完了したと判定された場合は処理を終了する。これに対し、充電が完了していないと判定された場合には、Ｓ５０６へ戻り、充電が完了するまでＳ５０６〜Ｓ５０８の処理を繰り返す。
【００２７】
このように、本実施形態によれば、ＰＯＳターミナル本体１０が無い状態でもバッテリーボックス３０を商用電源に接続することで容易にバッテリー充電可能である。また、充電が完了した後には、バッテリーボックス３０からバッテリー４０を取り出すことなく、バッテリーボックス３０ごとＰＯＳターミナル本体１０に装着し、バッテリー駆動が可能なため、ユーザーの作業負担を低減させることができる。また、バッテリーボックス３０には複数個のバッテリー４０が格納される構成のため、バッテリー残量に応じて適切なバッテリー４０を選択し、充電・電力供給を効率的に行うことができる。
【００２８】
＜変形例＞
図６は、図１に示す実施形態の変形例に係るＰＯＳターミナル１の全体構成例を示すブロック図である。尚、図１乃至図４と共通する符号は同一対象を示すため説明を省略し、相違点についてのみ説明する。ここでは、図４の場合とは異なり、ＰＯＳターミナル本体１０のベース部材１２の内部に着脱検出センサー１２３が設けられ、バッテリーボックス３０内からは除かれた構成である。また、着脱検出センサー１２３における検出信号は、バッテリーボックス３０の充電・電力供給切替スイッチ３０４だけでなく、電源装置１０１の電源切替スイッチ１０１ｄにも出力されている。このように構成することで、バッテリーボックス３０に搭載する機能を抑えることもできる。
【００２９】
また、上記実施形態においては、バッテリーボックス３０内に設けられた着脱検出センサー３０５から出力された検出信号に基づいて充電・電力供給切替スイッチ３０４がバッテリー４０との接続回路を自動的に切り替える構成としたが、センサーの検出信号に基づくのではなく、他の方法で接続回路を切り替えてもよい。例えば、凸状に形成されたセンサー検出部材１２２がバッテリーボックス３０の凹部に差し込まれると同時に、充電・電力供給切替スイッチ３０４が機械造によって切り替わるとしてもよい。更に、複数個のバッテリー４０は、システム用とプリンタなどの周辺機器１１０用とに予め分けて使用し、耐障害機能の向上を図ることもできる。
【００３０】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１…ＰＯＳターミナル、１０…ＰＯＳターミナル本体、１１…筐体、１２…ベース部材、３０…バッテリーボックス、４０…バッテリー、１０１…電源装置、１０１ａ…商用電源回路、１０１ｂ…コネクタ、１０１ｃ…バッテリー電源回路、１０１ｄ…電源切替スイッチ、１０２…ＣＰＵ、１０３…ＲＯＭ、１０４…ＲＡＭ、１０５…補助記憶装置、１０６…通信装置、１０７…表示装置、１０８…入力装置、１０９…スピーカー、１１０…周辺機器、１１１…バス、１２１…コネクタ、１２１ａ…ボックス接続端子、１２１ｂ…本体接続端子、１２２…センサー検出部材、１２３…着脱検出センサー、３０１…ボックス側商用電源回路、３０２…バッテリー充電回路、３０３…電力供給回路、３０４…充電・電力供給切替スイッチ、３０５…着脱検出センサー、３０６…バッテリー残量検出回路。
【図１】
0005640029.tif 000002
【図２】
0005640029.tif 000003
【図３】
0005640029.tif 000004
【図４】
0005640029.tif 000005
【図５】
0005640029.tif 000006
【図６】
0005640029.tif 000007